(57)【要約】【課題】塩の析出によるノズルの詰まりを防止する。複数のノズルを垂直塔に対して容易に着脱可能とする。【解決手段】塩水ノズル（３）および空気ノズル（４）に向けて洗浄水を吹き掛ける水洗浄ノズル（５）を設けると共に、塩水ノズル（３）と空気ノズル（４）とをフード（６）により一体的に保持し、空気ノズル（４）と水洗浄ノズル（５）とをブロック（７）により一体的に保持する。【効果】ノズル（３，４）の先端部に塩が析出するのを防止できるか又は析出した塩を洗い流すことが出来るので、塩の析出によるノズル（３，４）の詰まりを防止することが出来る。複数のノズル（３，４，５）を一体化物として垂直塔（１）に対して容易に着脱可能になる。【選択図】図２
2011043364.tif 000002
【特許請求の範囲】
【請求項１】
垂直に立てられた垂直塔（１）と、前記垂直塔（１）の上端に設置された噴霧量調整器（２）と、前記垂直塔（１）の内部空間で且つ前記噴霧量調整器（２）の下方空間に塩水を供給する塩水ノズル（３）と、前記塩水ノズル（３）の先端の下方に設置され垂直上方に空気を噴出して前記塩水ノズル（３）から供給された塩水を霧状にして吹き上げる空気ノズル（４）と、前記塩水ノズル（３）に対向して設置され前記塩水ノズル（３）および前記空気ノズル（４）に向けて洗浄水を吹き掛ける水洗浄ノズル（５）と、前記塩水ノズル（３）と前記空気ノズル（４）とを一体的に保持するフード（６）と、前記空気ノズル（４）と前記水洗浄ノズル（５）とを一体的に保持するブロック（７）とを具備し、前記塩水ノズル（３）と前記空気ノズル（４）と前記水洗浄ノズル（５）と前記フード（６）と前記ブロック（７）とが一体物として前記垂直塔（１）に対して着脱可能であることを特徴とする噴霧塔装置（１００，２００）。
【請求項２】
請求項１に記載の噴霧塔装置（１００，２００）において、前記垂直塔（１）の側壁の開口部（１ａ）に前記ブロック（７）を取り付けたとき、前記開口部（１ａ）に対向する側壁に穿設した貫通孔（１ｂ）から前記塩水ノズル（３）の尾端が突出することを特徴とする噴霧塔装置（１００，２００）。
【発明の詳細な説明】
【技術分野】
【０００１】
本発明は、噴霧塔装置に関し、さらに詳しくは、塩の析出による塩水ノズルや空気ノズルの詰まりを防止できると共に複数のノズルを垂直塔に対して容易に着脱可能とした噴霧塔装置に関する。
【背景技術】
【０００２】
従来、垂直に立てられた垂直塔と、垂直塔の上端に設置された噴霧量調整器と、垂直塔の内部空間の中心近傍で且つ噴霧量調整器の下方空間に塩水を吐出する塩水ノズルと、塩水ノズルの先端の下方に設置され垂直上方に空気を噴出して塩水ノズルから吐出された塩水を霧状にして吹き上げる空気ノズルとを具備した二重噴霧塔が知られている（例えば、特許文献１参照。）。
他方、塩水ノズルと空気ノズルに向けて洗浄水を吹き掛ける洗浄ノズルを具備した噴霧塔装置が知られている（例えば、特許文献２参照。）。
【先行技術文献】
【特許文献】
【０００３】
【特許文献１】特開平０６−１９４３０２号公報
【特許文献２】特開２００８−０７６０５１号公報
【発明の概要】
【発明が解決しようとする課題】
【０００４】
上記従来の二重噴霧塔では、塩水噴霧を休止している間に、塩水ノズルや空気ノズルの先端部に塩が析出し、ノズルを詰まらせることがある問題点があった。
他方、上記従来の噴霧塔装置では、塩の析出による塩水ノズルや空気ノズルの詰まりを防止できたが、垂直塔の内部に設置する場合について全く配慮されていない問題点があった。
そこで、本発明の目的は、塩の析出による塩水ノズルや空気ノズルの詰まりを防止できると共に複数のノズルを垂直塔に対して容易に着脱可能とした噴霧塔装置を提供することにある。
【課題を解決するための手段】
【０００５】
第１の観点では、本発明は、垂直に立てられた垂直塔（１）と、前記垂直塔（１）の上端に設置された噴霧量調整器（２）と、前記垂直塔（１）の内部空間で且つ前記噴霧量調整器（２）の下方空間に塩水を供給する塩水ノズル（３）と、前記塩水ノズル（３）の先端の下方に設置され垂直上方に空気を噴出して前記塩水ノズル（３）から供給された塩水を霧状にして吹き上げる空気ノズル（４）と、前記塩水ノズル（３）に対向して設置され前記塩水ノズル（３）および前記空気ノズル（４）に向けて洗浄水を吹き掛ける水洗浄ノズル（５）と、前記塩水ノズル（３）と前記空気ノズル（４）とを一体的に保持するフード（６）と、前記空気ノズル（４）と前記水洗浄ノズル（５）とを一体的に保持するブロック（７）とを具備し、前記塩水ノズル（３）と前記空気ノズル（４）と前記水洗浄ノズル（５）と前記フード（６）と前記ブロック（７）とが一体物として前記垂直塔（１）に対して着脱可能であることを特徴とする噴霧塔装置（１００，２００）を提供する。
上記第１の観点による噴霧塔装置では、塩水ノズルと空気ノズルに向けて水洗浄ノズルから洗浄水（真水または塩水）を吹き掛けることにより、塩水ノズルや空気ノズルの先端部に塩が析出するのを防止できるか又は析出した塩を洗い流すことが出来る。よって、塩の析出による塩水ノズルや空気ノズルの詰まりを防止できる。また、塩水ノズルや空気ノズルや水洗浄ノズルを一体化物として垂直塔に対して容易に着脱可能になる。また、噴霧範囲をフードの開口により調整できる。また、空気や洗浄水の圧力が掛かる空気ノズルと水洗浄ノズルとをブロックにより強固に支持できる。
【０００６】
第２の観点では、本発明は、前記第１の観点による噴霧塔装置（１００，２００）において、前記垂直塔（１）の側壁の開口部（１ａ）に前記ブロック（７）を取り付けたとき、前記開口部（１ａ）に対向する側壁に穿設した貫通孔（１ｂ）から前記塩水ノズル（３）の尾端が突出することを特徴とする噴霧塔装置（１００，２００）を提供する。
上記第２の観点による噴霧塔装置では、塩水ノズルや空気ノズルや水洗浄ノズルの一体化物を一方向から垂直塔に容易に装着することが出来る。
【発明の効果】
【０００７】
本発明の噴霧塔装置によれば、水洗浄ノズルから塩水ノズルと空気ノズルに向けて洗浄水を吹き掛けることにより、塩の析出による塩水ノズルや空気ノズルの詰まりを防止できる。また、塩水ノズルや空気ノズルや水洗浄ノズルを一体化物として垂直塔に対して容易に着脱可能になる。
【図面の簡単な説明】
【０００８】
【図１】実施例１に係る噴霧塔装置を示す断面図である。
【図２】実施例１に係る噴霧塔装置から噴霧塔用ミストノズルを外した状態を示す断面図である。
【図３】実施例２に係る噴霧塔装置を示す断面図である。
【図４】実施例２に係る噴霧塔装置から噴霧塔用ミストノズルを外した状態を示す断面図である。
【発明を実施するための形態】
【０００９】
以下、図に示す実施の形態により本発明をさらに詳細に説明する。なお、これにより本発明が限定されるものではない。
【実施例】
【００１０】
−実施例１−
図１は、実施例１に係る噴霧塔装置１００の構成を示す断面図である。
この噴霧塔装置１００は、垂直に立てられた円筒体である垂直塔１と、垂直塔１の上端に設置された噴霧量調整器２と、垂直塔１の内部空間で且つ噴霧量調整器２の下方空間に塩水を供給する塩水ノズル３と、塩水ノズル３の先端の下方に設置され垂直上方に空気を噴出して塩水ノズル３から供給された塩水を霧状にして吹き上げる空気ノズル４と、塩水ノズル３に対向して設置され塩水ノズル３および空気ノズル４に向けて洗浄水（真水または塩水）を吹き掛ける水洗浄ノズル５と、塩水ノズル３と空気ノズル４とを一体的に保持するフード６と、空気ノズル４と水洗浄ノズル５とを一体的に保持するブロック７と、塩水ノズル３の尾端と垂直塔１の底部に設けた塩水溜部１ｃとを連結する吸上管８とを具備している。
【００１１】
図２に示すように、塩水ノズル３と空気ノズル４と水洗浄ノズル５とフード６とブロック７とは一体物であり、噴霧塔用ミストノズル１０と呼ぶ。噴霧塔用ミストノズル１０は、垂直塔１に対して着脱可能である。
【００１２】
図１に戻り、垂直塔１の側壁の開口部１ａにブロック７を取り付けたとき、開口部１ａに対向する側壁に穿設した貫通孔１ｂから塩水ノズル３の尾端が突出する。この塩水ノズル３の尾端に吸上管８を接続する。また、空気ノズル４の尾端には圧縮空気管Ａを接続し、水洗浄ノズル５の尾端には洗浄水管Ｗを接続する。
【００１３】
塩水噴霧時は、洗浄水は止めておく。そして、塩水溜部１ｃに例えば５％塩濃度の塩水を溜めておき、空気ノズル４から圧縮空気を吹き出す。これにより、塩水ノズル３から塩水が吸い出され、垂直上方へ塩水霧が吹き上げられる。塩水霧は、垂直塔１と噴霧量調整器２の間の隙間（図には垂直塔１への噴霧量調整器２の取付柱の断面が表れており、隙間は表れていないが、取付柱の部分以外は隙間になっている）から側方へ噴出される。噴霧量調整器２の高さを調節することにより、噴霧量を調整できる。
【００１４】
水洗浄時は、圧縮空気は止めておく。そして、水洗浄ノズル５から洗浄水（真水または塩水）を吐出する。これにより、塩水ノズル３や空気ノズル４の先端部に塩が析出するのを防止できるか又は析出した塩を洗い流すことが出来る。
【００１５】
実施例１の噴霧塔装置１００によれば、次の効果が得られる。
（１）水洗浄ノズル５からノズル３，４に向けて洗浄水を噴き掛けることにより、ノズル３，４の先端部に塩が析出するのを防止できるか又は析出した塩を洗い流すことが出来る。よって、塩の析出によるノズル３，４の詰まりを防止できる。
（２）塩水ノズル３や空気ノズル４や水洗浄ノズル５を一体化物として垂直塔１に対して容易に着脱可能になる。
（３）フード６により、不要な方向への塩水霧の飛散および洗浄水の飛散を防止することが出来る。
（４）空気や洗浄水の圧力が掛かる空気ノズル４と水洗浄ノズル５とをブロック７により強固に支持できる。
【００１６】
−実施例２−
図３は、実施例２に係る噴霧塔装置２００の構成を示す断面図である。
この噴霧塔装置２００は、ポンプＰにより塩水溜部１ｃから塩水を吸い出し水洗浄ノズル５に供給する点以外は、実施例１の噴霧塔装置２００と同じ構成である。
【００１７】
図４に示すように、塩水ノズル３と空気ノズル４と水洗浄ノズル５とフード６とブロック７とは一体物であり、噴霧塔用ミストノズル１０と呼ぶ。噴霧塔用ミストノズル１０は、垂直塔１に対して着脱可能である。
【００１８】
実施例２の噴霧塔装置２００によれば、実施例１と同じ効果に加えて次の効果が得られる。
（４）噴霧する塩水と同じ塩水を洗浄水として用いるので、噴霧する塩水の濃度が変動することを防止できる（真水を洗浄水として用いると、塩水溜部１ｃの塩水濃度が低下してしまう）。
【産業上の利用可能性】
【００１９】
本発明の噴霧塔装置は、例えば塗装の腐食性を試験するのに利用できる。
【符号の説明】
【００２０】
１                  垂直塔
２                  噴霧量調整器
３                  塩水ノズル
４                  空気ノズル
５                  水洗浄ノズル
６                  フード
７                  ブロック
８                  吸上管
１０                噴霧塔用ミストノズル
１００，２００      噴霧塔装置
Ｐ                  ポンプ
【図１】
2011043364.tif 000003
【図２】
2011043364.tif 000004
【図３】
2011043364.tif 000005
【図４】
2011043364.tif 000006